(57)【要約】      （修正有）【課題】踏切待ちの車両または歩行者に対して踏切内の危険性を注意喚起する踏切事故防止支援システムを提供する。【解決手段】発電部１００および発光部２００を備える踏切事故防止支援システム１であって、発電部は、太陽光を電力に変換する発電手段と、発電手段により変換された電力を発光部に供給する供給手段とを含み、発光部は、発電部の供給手段により供給された電力を蓄電する蓄電手段と、蓄電手段により蓄電された電力を用いて発光する発光手段と、掲示物を収容する収容手段とを含み、発光部の発光手段が、収容手段により収容された掲示物を背面から照射する。【選択図】図２
2017066727.tif 000002
【特許請求の範囲】
【請求項１】
発電部および発光部を備える踏切事故防止支援システムであって、
前記発電部は、
太陽光を電力に変換する発電手段と、
前記発電手段により変換された電力を前記発光部に供給する供給手段と
を含み、
前記発光部は、
前記発電部の供給手段により供給された電力を蓄電する蓄電手段と、
前記蓄電手段により蓄電された電力を用いて発光する発光手段と、
掲示物を収容する収容手段と
を含み、
前記発光部の発光手段が、前記収容手段により収容された掲示物を背面から照射することを特徴とする踏切事故防止支援システム。
【請求項２】
前記発電部と、前記発光部とが一体として構成され、
前記踏切事故防止支援システムが、立位状態に配置した支柱に対して取り付け可能な取り付け基部を介して、前記支柱に固定されていることを特徴とする、請求項１に記載の踏切事故防止支援システム。
【請求項３】
前記発電部と、前記発光部とが別体として構成され、
前記発電部が、立位状態に配置した支柱に対して取り付け可能な取り付け基部を介して、前記支柱の上方に固定され、
前記発光部が、前記発電部よりも下方に前記取り付け基部を介して、前記支柱に固定されていることを特徴とする、請求項１に記載の踏切事故防止支援システム。
【請求項４】
前記発電部は、更に、
前記太陽光を集光する集光面の傾斜角度を調整する角度調整手段を含むことを特徴とする、請求項１乃至３のいずれか一項に記載の踏切事故防止支援システム。
【請求項５】
光センサーが暗さを検知することで、前記発光部の発光手段が、前記掲示物を背面から照射することを特徴とする、請求項１乃至４のいずれか一項に記載の踏切事故防止支援システム。
【請求項６】
発電部および発光部を備える踏切事故防止支援システムの踏切事故防止支援方法であって、
太陽光を電力に変換する発電ステップと、
前記発電ステップにより変換された電力を前記発光部に供給する供給ステップと
前記供給ステップによって供給された電力を蓄電する蓄電ステップと、
前記蓄電ステップにより蓄電された電力を用いて発光する発光ステップと、
を含み、
前記発光ステップの際に、前記発光部に収容された掲示物を背面から照射することを特徴とする踏切事故防止支援方法。
【発明の詳細な説明】
【技術分野】
【０００１】
本発明は、発電部および発光部を備える踏切事故防止支援システムおよび踏切事故防止支援方法に関するものである。
【背景技術】
【０００２】
従来から、夜間時や暗がりで見通しが悪い状況時に、車両や歩行者の踏切事故が多く発生することが問題となっていた。
【０００３】
そこで、車両や歩行者に対して、発光手段を用い踏切内の危険性を注意喚起し、踏切事故を未然に防止することを目的とする技術が開発されてきた。
【０００４】
更に、近年においては、太陽光を電力に変換し、変換された電力を電力源として発光する発光手段を用いて、踏切内の危険性を注意喚起する技術も開発されている。
【０００５】
中でも、特許文献１には、太陽電池（ソーラー式）電源により電源供給されて発光する地中埋設の発光式道路鋲を踏切の停止線に設置し、停止線へ侵入する車両または歩行者を感知センサーで感知し、発光式道路鋲を点滅状態等にする発光式停止線システムが開示されている。
【０００６】
また、特許文献１には、前記停止線の手前に表示板を設置し、車両または歩行者の侵入があるとき、表示板を「前方注意」と表示し、車両または歩行者の侵入がないとき、表示板を「止まれ」と表示し、車両または歩行者に注意を喚起させる構成が開示されている。
【先行技術文献】
【特許文献】
【０００７】
【特許文献１】特開２０１１−１７２９２７
【発明の概要】
【発明が解決しようとする課題】
【０００８】
しかしながら、特許文献１に開示された発光式停止線システムは、車両または歩行者に注意を喚起させる効果が期待できるものの、発光式道路鋲を踏切の停止線に埋設するという大変大がかりなシステムである。
【０００９】
実際に、特許文献１に開示された発光式停止線システムを適用させるためには、大きな労力を要し、市場が求める小型、軽量化及びコスト低減を考慮すると問題が残る。
【００１０】
また、前記停止線の手前に設置される表示板には、単に短い文字が直接的に表示されるに過ぎず、表示形態に何ら工夫が凝らされたものではない。
【００１１】
そこで、本発明は、上記事情に鑑み、踏切待ちの車両または歩行者に対して踏切内の危険性を注意喚起する、掲示物を収容する収容手段を含む発光部を備えた踏切事故防止支援システムを提供することを目的とするものである。
【課題を解決するための手段】
【００１２】
上記課題を解決するために、本発明の一態様に係る踏切事故防止支援システムは、発電部および発光部を備える踏切事故防止支援システムであって、発電部は、太陽光を電力に変換する発電手段と、発電手段により変換された電力を発光部に供給する供給手段とを含み、発光部は、発電部の供給手段により供給された電力を蓄電する蓄電手段と、蓄電手段により蓄電された電力を用いて発光する発光手段と、掲示物を収容する収容手段とを含み、発光部の発光手段が、収容手段により収容された掲示物を背面から照射することを特徴とする。
【００１３】
また、本発明の一態様に係る踏切事故防止支援システムにおいて、発電部と、発光部とが一体として構成され、踏切事故防止支援システムが、立位状態に配置した支柱に対して取り付け可能な取り付け基部を介して、支柱に固定されていてもよい。
【００１４】
また、本発明の一態様に係る踏切事故防止支援システムにおいて、発電部と、発光部とが別体として構成され、発電部が、立位状態に配置した支柱に対して取り付け可能な取り付け基部を介して、支柱の上方に固定され、発光部が、発電部よりも下方に取り付け基部を介して、支柱に固定されていてもよい。
【００１５】
また、本発明の一態様に係る踏切事故防止支援システムにおいて、発電部は、更に、太陽光を集光する集光面の傾斜角度を調整する角度調整手段を含めることができる。
【００１６】
また、本発明の一態様に係る踏切事故防止支援システムは、光センサーが暗さを検知することで、発光部の発光手段が、掲示物を背面から照射することができる。
【００１７】
上記課題を解決するために、本発明の一態様に係る踏切事故防止支援システムの踏切事故防止支援方法は、太陽光を電力に変換する発電ステップと、発電ステップにより変換された電力を発光部に供給する供給ステップと、供給ステップによって供給された電力を蓄電する蓄電ステップと、蓄電ステップにより蓄電された電力を用いて発光する発光ステップと、を含み、発光ステップの際に、発光部に収容された掲示物を背面から照射することを特徴とする。
【発明の効果】
【００１８】
本発明の一態様に係る踏切事故防止支援システムは、発電部が、太陽光を電力に変換する発電手段と、発電手段により変換された電力を発光部に供給する供給手段とを含み、発光部が、発電部の供給手段により供給された電力を蓄電する蓄電手段と、蓄電手段により蓄電された電力を用いて発光する発光手段と、掲示物を収容する収容手段とを含み、発光部の発光手段が、収容手段により収容された掲示物を背面から照射することによって、踏切待ちの車両または歩行者に対して踏切内の危険性を注意喚起する効果を奏する。
【図面の簡単な説明】
【００１９】
【図１】踏切事故防止支援システム３００を構成する、発電部１００および発光部２００の要部構成の一例を示すブロック図である。
【図２】発電部１００と発光部２００とが一体として構成された踏切事故防止支援システム１の斜視図である。
【図３】発電部１００と発光部２００とが別体として構成された踏切事故防止支援システム２の斜視図である。
【図４】図３に示される踏切事故防止支援システム２を横から見た概略図である。
【図５】図５（ａ）は、図３に示される発光部２００の縦断面を示す図である。図５（ｂ）は、図３に示される発光部２００の天井部５を開口させた際の縦断面を示す図である。
【図６】図６（ａ）は、図３に示される発光部２００の横断面を示す図である。図６（ｂ）は、図３に示される発光部２００の背面を示す図である。
【図７】発電部１００および発光部２００を備える、踏切事故防止支援システム３００が実行する処理の一例を示すフローチャートである。
【図８】角度調整手段１０を含む発電部１００および発光部２００を備える、踏切事故防止支援システム３００が実行する処理の一例を示すフローチャートである。
【発明を実施するための形態】
【００２０】
図１〜図８に基づいて、本発明の実施の形態を説明する。
【００２１】
（発電部と発光部とからなる踏切事故防止支援システムの概要）
本発明によって提供される踏切事故防止支援システムは、発電部および発光部を備える。
【００２２】
発電部は、太陽光を電力に変換する発電手段と、発電手段により変換された電力を発光部に供給する供給手段とを含む。
【００２３】
一方、発光部は、発電部の供給手段により供給された電力を蓄電する蓄電手段と、蓄電手段により蓄電された電力を用いて発光する発光手段と、掲示物を収容する収容手段とを含む。
【００２４】
本発明に係る踏切事故防止支援システムは、発光部の発光手段が、収容手段により収容された掲示物を背面から照射することにより実現する。これにより、踏切待ちの車両または歩行者に対して踏切内の危険性を注意喚起することができる。
【００２５】
（踏切事故防止支援システム３００の構成）
図１は、踏切事故防止支援システム３００を構成する、発電部１００および発光部２００の要部構成の一例を示すブロック図である。
【００２６】
踏切事故防止支援システム３００は、図１（ａ）に例示されるように、発電部１００および発光部２００を備える。発電部１００は、発電手段１１、および供給手段１２を含む。一方、発光部２００は、蓄電手段１３、発光手段１４、および収容手段１５を含む。
【００２７】
また、踏切事故防止支援システム３００は、図１（ｂ）に例示されるように、発電部１００に角度調整手段１０を含めることができる。
【００２８】
発電部１００に含まれる発電手段１１は、太陽光を電力に変換する。すなわち太陽光を集光させ、太陽エネルギーから電気エネルギー（電力）に変換する。また、供給手段１２は、発電手段１１により変換された電力を発光部２００に供給する。
【００２９】
なお、角度調整手段１０は、太陽光を集光する集光面の傾斜角度を調整することができる。
【００３０】
一方、発光部２００に含まれる蓄電手段１３は、発電部１００の供給手段１２によって供給された電力を蓄電する。また、発光手段１４は、蓄電手段１３により蓄電された電力を用いて発光する。また、収容手段１５は、掲示物を収容する。
【００３１】
（発電部と発光部とからなる踏切事故防止支援システムの詳細）
本発明において提供される踏切事故防止支援システムは、発電部および発光部を備える。
図２は、発電部１００と発光部２００とが一体として構成された踏切事故防止支援システム１の斜視図である。
【００３２】
一方、図３は、発電部１００と発光部２００とが別体として構成された踏切事故防止支援システム２の斜視図である。
【００３３】
図４は、図３に示される踏切事故防止支援システム２を横から見た概略図である。図５（ａ）は、図３に示される発光部２００の縦断面を示す図である。図５（ｂ）は、図３に示される発光部２００の天井部５を開口させた際の縦断面を示す図である。図６（ａ）は、図３に示される発光部２００の横断面を示す図である。図６（ｂ）は、図３に示される発光部２００の背面を示す図である。
【００３４】
発電部１００に含まれる発電手段１１は、太陽光を電力に変換させることができる手段、すなわち太陽光を集光（吸収）させ、太陽エネルギーを電気エネルギー（電力）に変換させることができる手段であれば、特に限定されない。
【００３５】
発電手段１１としては、例えば、太陽電池を複数個整列させて、何らかの枠・構造体に入れてパネル状にした太陽光パネル等が挙げられる。なお、太陽電池は、シリコンなどの半導体から構成され、この半導体に太陽光が当たると日射強度に比例して発電することができる。
【００３６】
発電部１００に含まれる供給手段１２は、発電手段により太陽エネルギーから変換された電気エネルギー（電力）を発光部２００に供給することができる手段であれば、特に限定されない。供給手段１２としては、例えば、通電供給を可能にする電線等が挙げられる。
【００３７】
発電部１００に含まれる角度調整手段１０は、太陽光を集光する集光面の傾斜角度を調整することができる手段であれば、特に限定されない。ここで「集光面」とは、太陽光が当たる面、すなわち太陽光を集光（吸収）させることができる面のことを指していう。
【００３８】
角度調整手段１０としては、例えば、図４に示されるように、発電部１００と支柱との接続部近傍を基軸として、発電部１００における集光面の傾斜角度を自動又は手動で変更させる機構（矢印で模式的に図示）等が挙げられる。
【００３９】
発電部１００に角度調整手段１０を含めることにより、集光面に当たる太陽光を効率よく集光（吸収）させることができ、より多くの太陽エネルギーを獲得でき、それに伴いより多くの電気エネルギー（電力）が得られる。
【００４０】
発光部２００に含まれる蓄電手段１３は、発電部１００の供給手段１２により供給された電気エネルギー（電力）を蓄えることができる手段であれば、特に限定されない。蓄電手段としては、例えば、蓄電池等が挙げられる。
【００４１】
発光部２００に含まれる蓄電手段１３は、例えば、図５（ａ），（ｂ）および図６（ａ），（ｂ）に示されるように、発光部２００の底面部６に配置させることができる。
【００４２】
また、蓄電手段１３は、外見（周囲）からは視認できない構成とすることが好ましく、例えば、図５（ａ），（ｂ）に示されるように、収容手段１５の内側壁４の一部に目隠し部２０を設けることができる。なお、目隠し部２０は、外側壁３に設けてもよく、内側壁４と外側壁３の両方に設けてもよい。
【００４３】
発光部２００に含まれる発光手段１４は、蓄電手段１３により蓄電された電力を用いて発光することができる手段であれば、特に限定されない。発光手段１４としては、例えば、白熱灯、蛍光灯、ＬＥＤ照明等が挙げられ、省エネで長寿命である観点からＬＥＤ照明が好ましく用いられる。
【００４４】
発光部２００に含まれる発光手段１４は、例えば、図５（ａ），（ｂ）および図６（ａ），（ｂ）に示されるように、収容手段１５により収容された掲示物を背面から好適に照射させる観点から、発光部２００の内部空間において任意の上下２か所の位置に配置させることができる。
【００４５】
更に、発光部２００に含まれる発光手段１４は、光センサーが暗さを検知することで、掲示物を背面から照射する構成とすることが好ましい。これにより、夜間時や暗がりで見通しが悪い状況時に、掲示物を目立たせ、踏切待ちの車両または歩行者に対して踏切内の危険性を注意喚起することができる。
【００４６】
ここで「光センサー」とは、周囲の明るさ（照度）を検知し、特定の照度を下回った時に自動的に発光手段１４が点灯し、特定の照度を上回った時に発光手段１４が消灯するように設計されたセンサーを指していう。
【００４７】
光センサーが周囲の明るさ（照度）を検知できるよう、図３に示される発光部２００の背面は、その一部をくり抜き、光センサー用窓２１とし（図６（ｂ）に図示）、周囲の明るさ（照度）を検知できる構成とすることができる。なお、光センサーは、不図示であるが一般に市販されたものを用いることができる。
【００４８】
発光部２００に含まれる収容手段１５は、掲示物を収容することができる手段であれば、特に限定されない。収容手段１５としては、例えば、掲示物を収容し易く、取り出して他の掲示物との交換を容易にする構成であることが好ましい。
【００４９】
発光部２００に含まれる収容手段１５は、例えば、図５（ａ），（ｂ）および図６（ａ）に示されるように、掲示物を好適に収容する観点から、外気に直接触れる外側壁３と外気に直接触れない内側壁４との間に掲示物を上部から挿入し、当該掲示物を挟むように収容可能となるように、外側壁３と内側壁４とを適切な距離にそれぞれ配置させることができる。
【００５０】
外側壁３は、掲示物が外見（周囲）から視認できる程度の透明性を有する素材であれば、特に限定されない。外側壁３の素材としては、例えば、ガラス製の素材、アクリル製の素材等が挙げられ、強度、軽量化の観点からアクリル製の素材が好ましい。
【００５１】
一方、内側壁４は、発光手段１４を用いて照射させた際、掲示物を背面から明るく照らすことができる程度の光透過性を有する素材であれば、特に限定されない。内側壁４の素材としては、例えば、ガラス製の素材、アクリル製の素材等が挙げられ、強度、軽量化の観点からアクリル製の素材が好ましい。
【００５２】
発光部２００は、収容手段１５に掲示物を上部から挿入するように収容し易く、取り出して他の掲示物との交換を容易にする観点から、図５（ｂ）に示されるように、発光部２００の天井部５を矢印方向に開口可能な構成とすることが好ましい。
【００５３】
更に、発光部２００は、収容手段１５により一旦収容された掲示物の持ち出しを禁止し、蓄電手段１３および発光手段１４を雨風から保護する観点から、図２および図３に示されるように、天井部５の開口に制限を設ける手段、例えば施錠６を設ける構成とすることが好ましい。
【００５４】
図２に示される踏切事故防止支援システム１は、立位状態に配置した支柱に対して取り付け可能な取り付け基部を介し、支柱に固定されて利用することができる。
【００５５】
図２に示される踏切事故防止支援システム１は、発電部１００と発光部２００とが一体として構成されている。このため、図２に示される発電部１００の構成は、発光部２００の天井部５としての役割も兼ねている。
【００５６】
図２に示される発電部１００は、太陽光を効率よく集光（吸収）させる観点から、発電部１００の集光面を傾斜形状とすることが好ましい。図２に示されるように、発電部１００の集光面を傾斜させることに伴い、発光部２００の天井部５に相当する部位の形状についても傾斜形状の構成とすることが好ましい。
【００５７】
図３に示される踏切事故防止支援システム２は、発電部１００が、立位状態に配置した支柱に対して取り付け可能な取り付け基部を介して、支柱の上方に固定され、発光部２００が、発電部１００よりも下方に取り付け基部を介し、支柱に固定されて利用することができる。
【００５８】
図３に示される踏切事故防止支援システム２は、発電部１００と発光部２００とが別体として構成されている。このため、図３に示される発光部２００における天井部５の形状は、発電部１００の形状とは別個独立とすることができる。
【００５９】
図３に示される発光部２００における外形の奥行は、発光部２００に少なくとも蓄電手段１３、発光手段１４、および収容手段１５を含めることが可能な領域を有すればよい。このため、図３に示される発光部２００における外形の奥行は、図２に示される発光部２００における外形の奥行のように、発電部１００の傾斜形状を考慮して設計する必要がない。
【００６０】
よって、図３に示される発光部２００における外形の奥行幅の寸法は、図２に示される発光部２００における外形の奥行幅の寸法と比べ、発電部１００の傾斜角度を考慮して幅広く設計する必要がない分、比較的狭い奥行幅の寸法で足り、発光部２００の奥行幅をコンパクトに設計することができる。
【００６１】
本発明に係る踏切事故防止支援システムは、発光部２００に含まれる発光手段１４が、収容手段１５により収容された掲示物を背面から照射することによって、踏切待ちの車両または歩行者に対して踏切内の危険性を注意喚起することができる。
【００６２】
収容手段１５により収容される掲示物は、発光手段１４を用いて掲示物を背面から照射させた際、当該掲示物を外見（周囲）から明るく視認できる程度の光透過性を有する素材あるいは薄さであれば、特に限定されない。
【００６３】
また、収容手段１５により収容される掲示物は、踏切待ちの車両または歩行者に対して踏切内の危険性を注意喚起することができるような、踏切事故防止に関する内容の掲示物であることが好ましい。
【００６４】
図２および図３に示される「掲示物」は、小学生によって描かれたポスター図で、子供が正しく踏切待ちをしている様子が描かれた、踏切事故防止に関する内容の掲示物である。なお、「掲示物」には、標語等の文字が付加されたポスター図であってもよい。
【００６５】
その他に、掲示物に描かれた内容が、心が和むような内容であった場合、飛び込みを思案していた歩行者に対して、踏切内への飛び込みを思い止まらせ、飛び込み事故を未然に防止する効果等も期待できる。
【００６６】
（踏切事故防止支援システム３００が実行する処理）
図７は、発電部１００および発光部２００を備える、踏切事故防止支援システム３００が実行する処理の一例を示すフローチャートである。図７は、図１（ａ）に示されるブロック図に対応するフローチャートである。
【００６７】
図８は、角度調整手段１０を含む発電部１００および発光部２００を備える、踏切事故防止支援システム３００が実行する処理の一例を示すフローチャートである。図８は、図１（ｂ）に示されるブロック図に対応するフローチャートである。
【００６８】
なお、以下の説明において、括弧書きの「〜ステップ」は、発電部１００および発光部２００が実行する各ステップを表す。
【００６９】
踏切事故防止支援システム３００が実行する処理としては、図７に例示される各ステップを経て実現される。
太陽光を電力に変換し、すなわち太陽光を集光させ、太陽エネルギーから電気エネルギー（電力）に変換し（ステップ１（Ｓ１）、以下「ステップ」を「Ｓ」と略記する、発電ステップ）、発電ステップにより変換された電力を発光部２００に供給する（Ｓ２、供給ステップ）。
【００７０】
次いで、供給ステップによって供給された電力を蓄電し（Ｓ３、蓄電ステップ）、蓄電ステップにより蓄電された電力を用いて発光し（Ｓ４、発光ステップ）、発光ステップの際に、発光部に収容された掲示物を背面から照射する（Ｓ５、掲示物の照射ステップ）。
【００７１】
また、踏切事故防止支援システム３００が実行する処理としては、図８に例示されるように、太陽光を電力に変換する発電ステップ（Ｓ１）の前に、太陽光を集光する集光面の傾斜角度を調整する角度調整ステップ（Ｓ０）を含めることもできる。
【００７２】
[付記事項]
本発明は上述した実施の形態に限定されるものではなく、請求項に示した範囲で種々の変更が可能であり、異なる実施の形態にそれぞれ開示された技術的手段を適宜組み合わせて得られる実施の形態についても、本発明の技術的範囲に含まれる。さらに、各実施の形態にそれぞれ開示された技術的手段を組み合わせることにより、新しい技術的特徴を形成できる。
【符号の説明】
【００７３】
１００：発電部
２００：発光部
３００：踏切事故防止支援システム
１０  ：角度調整手段
１１  ：発電手段
１２  ：供給手段
１３  ：蓄電手段
１４  ：発光手段
１５  ：収容手段
１  ：踏切事故防止支援システム
２  ：踏切事故防止支援システム
３  ：外側壁
４  ：内側壁
５  ：天井部
６  ：底面部
２０  ：目隠し部
２１  ：光センサー用窓
【図１】
2017066727.tif 000003
【図２】
2017066727.tif 000004
【図３】
2017066727.tif 000005
【図４】
2017066727.tif 000006
【図５】
2017066727.tif 000007
【図６】
2017066727.tif 000008
【図７】
2017066727.tif 000009
【図８】
2017066727.tif 000010